(57)【特許請求の範囲】
【請求項１】
複数のパチンコ機から回収された使用済玉及び玉返却装置から返却された返却玉を貯留する玉貯留タンクと、該玉貯留タンク内の貯留玉を揚送する玉揚送手段と、該玉揚送手段によって揚送された玉を再度前記パチンコ機に補給する補給樋と、パチンコ島台内の任意の位置で玉を分離する玉分離器と、該玉分離器が設けられた島台と隣接する他島内との間に架設され且つ前記玉分離器で分離された玉を移送するための移送通路と、該移送通路の始端部に設けられ且つ移送通路内の玉を自島側から隣接する他島側に移送駆動する移送駆動装置と、前記玉貯留タンクにおける玉の貯留量を検出する貯留量検出手段と、を備えた複数のパチンコ島台に対するパチンコ島台間の玉移送制御装置であって、
該玉移送制御装置は、前記複数のパチンコ島台に対して離れた場所に配置されると共に、前記貯留量検出手段の出力に基づいて前記玉貯留タンク内に貯留される玉量を表示する玉量表示手段と、前記移送駆動装置の移送動作の開始・終了に係る信号の出力を前記玉量表示手段で監視しながら手動で行う玉量調整出力手段と、が各パチンコ島台毎に対応して複数設けられ、
手動操作によって前記玉量調整出力手段からの信号出力が導出されたときに、当該玉量調整出力手段に対応するパチンコ島台の前記移送駆動装置を駆動開始・駆動終了することを特徴とするパチンコ島台間の玉移送制御装置。
【発明の詳細な説明】
【０００１】
【産業上の利用分野】
本発明は、複数のパチンコ機から回収された使用済玉及び玉返却装置から返却された返却玉を貯留する玉貯留タンクと、該玉貯留タンク内の貯留玉を揚送する玉揚送手段と、該玉揚送手段によって揚送された玉を再度前記パチンコ機に補給する補給樋と、パチンコ島台内の任意の位置で玉を分離する玉分離器と、該玉分離器が設けられた島台と隣接する他島内との間に架設された移送通路と、該移送通路の始端部に設けられ且つ移送通路内の玉を自島側から他島側に移送駆動する移送駆動装置と、前記玉貯留タンクにおける玉の貯留量を検出する貯留量検出手段と、を備えた複数のパチンコ島台間における貯留玉量の調整を行うことができる玉移送制御装置に関するものである。
【０００２】
【従来の技術】
従来より、パチンコ島台の内部には、玉自動循環機構として搬送ベルトを有する玉揚送装置が装備されていた。これにより、パチンコ島台の各パチンコ機から回収された使用済玉は、玉揚送装置の搬送ベルトによって研磨されながら上部貯留タンクに揚送され、この上部貯留タンクから補給樋を介して再度各パチンコ機に供給されていた。即ち、パチンコ島台内の遊技玉は、玉自動循環機構によって循環使用されていた。また、このようなパチンコ島台には、遊技客が獲得した景品玉を返却したときに、その返却玉数を数値記録したレシートを発行する玉返却装置が設けられたものがあった。このため、玉返却装置からの景品玉の投入に伴い玉量が増加する場合には、列設された各パチンコ島台間に架設された移送通路を介して余剰の玉を隣接するパチンコ島台に搬送することで、各パチンコ島台間の貯留玉量の均等化を図っていた。
【０００３】
しかしながら、上記従来のような各パチンコ島台間に架設された移送通路は、列設されたパチンコ島台のほぼ中央であって玉揚送装置の上端部に設けられる各上部貯留タンク間に架設され、上部貯留タンク内で玉が余剰に貯留されたときに、その余剰玉を自然流下する構成であった。このため、移送通路の架設位置は、その高さ位置も含めて上部貯留タンクの配設位置によって必然的に決まってしまうため、防犯カメラの設置等を含む遊技場全体としての設計自由度が限定されていた。また、上記のような移送通路での自然流下により余剰玉を搬送する構成では、各パチンコ島台内で循環使用される玉量を効率的に管理することができなかった。このような欠点を解消するために、本出願人は、先に特願平６−１４２３５６号で、循環使用される玉量を効率的に管理することができるパチンコ島台間の玉移送制御装置を提案した。
【０００４】
【発明が解決しようとする課題】
しかしながら、この先行技術における玉移送制御装置は、各パチンコ島台内部の玉貯留タンクの玉量に応じてのみ玉移送制御を行っていたので、緊急時や営業終了時における玉量の均等化を達し得ないという欠点があった。また、移送通路を移送せしめられる玉の移動が正常に行われているか否かを判断することができないという欠点があった。本発明は、上記した事情に鑑みなされたもので、その目的とするところは、緊急時や営業終了時における各パチンコ島台の玉量の均等化を達成することができると共に、島台間の玉の移送が正常に行われているか否かを容易に理解することができるパチンコ島台間の玉移送制御装置を提供することにある。
【０００５】
【課題を解決するための手段】
上記した目的を達成するために、請求項１の発明においては、
複数のパチンコ機から回収された使用済玉及び玉返却装置から返却された返却玉を貯留する玉貯留タンクと、該玉貯留タンク内の貯留玉を揚送する玉揚送手段と、該玉揚送手段によって揚送された玉を再度前記パチンコ機に補給する補給樋と、パチンコ島台内の任意の位置で玉を分離する玉分離器と、該玉分離器が設けられた島台と隣接する他島内との間に架設され且つ前記玉分離器で分離された玉を移送するための移送通路と、該移送通路の始端部に設けられ且つ移送通路内の玉を自島側から隣接する他島側に移送駆動する移送駆動装置と、前記玉貯留タンクにおける玉の貯留量を検出する貯留量検出手段と、を備えた複数のパチンコ島台に対するパチンコ島台間の玉移送制御装置であって、
該玉移送制御装置は、前記複数のパチンコ島台に対して離れた場所に配置されると共に、前記貯留量検出手段の出力に基づいて前記玉貯留タンク内に貯留される玉量を表示する玉量表示手段と、前記移送駆動装置の移送動作の開始・終了に係る信号の出力を前記玉量表示手段で監視しながら手動で行う玉量調整出力手段と、が各パチンコ島台毎に対応して複数設けられ、
手動操作によって前記玉量調整出力手段からの信号出力が導出されたときに、当該玉量調整出力手段に対応するパチンコ島台の前記移送駆動装置を駆動開始・駆動終了することを特徴とするものである。
【０００６】
【作用】
請求項１の発明においては、緊急時や営業終了時においては、玉移送制御装置に設けられる玉量表示手段を監視しながら、任意の玉量調整出力手段を操作することにより、対応する移送駆動装置を駆動制御することができるので、緊急時における玉の移送及び営業終了時における玉の移送を極めて簡単に行うことができる。また、従来のように上部貯留タンクの位置に関係なく、任意の位置でパチンコ島台間に移送通路を掛け渡すことができ、防犯カメラの設置等を含む遊技場全体としての設計自由度が広がる。更に、自島から隣接する他島に強制的に玉を搬送することができるため、従来のように自然落下により余剰玉を搬送する構成に比べ、パチンコ島台内で循環使用される玉量を効率的に管理することができる。
また、請求項２の発明においては、通常の営業時間内において、パチンコ島台内の玉貯留タンクの玉の貯留量が上限であるときに自島内の移送駆動装置を制御して隣接する他島に玉を供給し、貯留量が下限であるときに隣接する他島内の移送駆動装置を制御して自島に玉を補給する動作がパチンコ島台に対して遠隔的に配置される玉移送制御装置によって自動制御されているため、パチンコ島台における貯留玉量が過不足なく自動的に制御することができる。
更に、請求項３の発明においては、パチンコ島台に対して遠隔的に配置される玉移送制御装置の移送異常表示手段を監視することにより、パチンコ島台間の玉の移送が正常に行われているか否かを容易に理解することができ、迅速な処置を行うことができる。
【０００７】
【実施例】
以下、図面を参照して本発明の一実施例を説明する。図１は、パチンコ島台１の内部の構造を示す一部破断正面図である。図において、パチンコ島台１は、周知のように、多数のパチンコ機２を背向列設するもので、その中央には玉揚送手段としての玉揚送装置４が立設されている。また、該玉揚送装置４の左サイドには、遊技客が獲得した景品玉を返却したときに、その返却玉数を数値記録したレシートを発行する玉返却装置３が設けられている。ところで、本実施例における玉揚送装置４は、モータを内蔵した下部駆動プーリ５により無端状の搬送ベルト６を回転駆動するものであり、該搬送ベルト６の摩擦力により導入口７を介して導入された玉を研磨布装着扉（図示しない）に接触させながら上昇せしめ、最終的に上端の排出口８から上部タンク９内に排出するようになっている。なお、玉揚送装置は、本実施例とは別に、螺旋体によって研磨ペレットと玉とを混合しながら揚送する形式のもの、又はベルトにバケットを固定した形式のものであっても良い。
【０００８】
前記上部タンク９の底面両端部には、それぞれパチンコ島台１の両端部に向かって下方傾斜した左右の各補給樋１０が接続されており、該補給樋１０の途中部位には、各パチンコ機２及び台間玉貸機（図示しない）に対応した図示しない分流器が設けられている。これにより、排出口８から排出された研磨済の玉は、上部タンク９の底面両端部から各補給樋１０に流出され、その後、分流器によって各パチンコ機２の背面上部に設けられた周知の賞品玉タンク及び台間玉貸機に供給されるようになっている。なお、上記分流器には、周知のように補給された玉数を計数するための計数装置が付設されており、この計数装置から遊技場に設けられる図示しない管理コンピュータに補給玉数信号が送られるようになっている。また、上部タンク９の側面には、図示しない落下口が穿設されており、該落下口の下方位置には、左右の各還流通路１１が配設されている。この還流通路１１は、パチンコ機２における賞品玉の使用が少なく補給樋１０への玉の補給が必要なくなり、結果的に上部タンク９内の貯留玉が落下口より落下したとき、余剰の玉を玉揚送装置４の下部両側に設置される左右の各玉貯留タンク１４に還流するものである。
【０００９】
また、上記左右還流通路１１の各下端部には、それぞれパチンコ島台１の両端部に向かって下方傾斜した左右の各上部回収樋１３が接続されており、該上部回収樋１３の下流部の各下方位置には、それぞれ下流部が前記導入口７に接続された左右の各下部回収樋１２が配設されている。なお、前記玉貯留タンク１４は、上部及び下部の各回収樋１３，１２間に位置するものである。これにより、前記還流通路１１から還流された玉、各パチンコ機２から打ち込まれた玉、及び玉返却装置３から返却投入された景品玉は、それぞれ上部回収樋１３に排出されることで玉貯留タンク１４内に貯留され、最終的には下部回収樋１２を介して玉揚送装置４側の導入口７に送り込まれるようになっている。
【００１０】
上記のように構成されるパチンコ島台１においては、玉揚送装置４によって研磨揚送された玉が補給樋１０を介して各パチンコ機２に供給され、一方、各パチンコ機２で使用された使用済玉及び玉返却装置３に返却投入された景品玉が上部及び下部の各回収樋１３，１２によって玉揚送装置４に集められて再度研磨揚送されて補給樋１０に供給される。つまり、玉は、パチンコ島台１の内部で循環使用される。しかしながら、当該パチンコ島台１で使用される玉の貯留量は、常に一定とは限らない。即ち、他のパチンコ島台で獲得した景品玉を遊技客が当該パチンコ島台１の玉返却装置３に投入する場合や当該パチンコ島台１で獲得した景品玉を遊技客が他のパチンコ島台の玉返却装置に投入する場合がある。このため、パチンコ島台１の内部で循環使用される玉の貯留量が増加する場合には、最悪の事態として、前記上部タンク９内に多量の玉が貯留されて正常な玉の循環が行われなくなるばかりでなく、玉揚送装置４も故障して営業を行うことができなくなる。一方、パチンコ島台１の内部で循環使用される玉の貯留量が減少する場合には、最悪の事態として、パチンコ機２から正常な景品玉の払い出しが行われなくなる。
【００１１】
しかして、上記したような不都合を回避すべく各島台間の貯留玉量の均等化を図るために、本実施例においては、パチンコ島台１に、列設された各島台間で玉を搬送する玉移送機構２０と、前記玉貯留タンク１４内における玉の貯留量を検出する貯留量検出手段としての玉量検出センサー１５〜１９と、を設け、さらには、後述する駆動制御手段を内蔵する制御装置４０とで、各島台間の貯留玉量の均等化を図っている。
【００１２】
まず、玉移送機構２０の構成について図１及び図２を参照して説明する。図２は、玉移送機構２０の構成を示す概略図である。図において、玉移送機構２０は、前記補給樋１０の下流端に設けられ且つ補給樋１０を流下する玉を分離する玉分離器としての分流シュート２１と、該分流シュート２１が設けられた島台と隣接する他島内の前記玉貯留タンク１４との間に架設された移送通路としてのアーチ型移送管３５と、該アーチ型移送管３５の始端部に設けられ且つアーチ型移送管３５内の玉を自島側から他島側に移送駆動する移送駆動装置３０と、から構成されている。
【００１３】
分流シュート２１は、補給樋１０を流下する玉を一列に整列させながら取り込むものであり、前述したパチンコ機２や台間玉貸機に玉を取り込む分流器とほぼ同じ構造のものであり、このように既存の分流器をそのまま分流シュート２１として適用することで、玉移送機構２０の製造コストの削減を招来している。しかして、分流シュート２１は、補給樋１０から取り込んだ玉を流下する流下通路２２に玉ならし２３を垂下させ、その玉ならし２３によって玉を一列に整列せしめて流下通路２２の末端に取り付けられる玉計数機２５に供給するものである。玉計数機２５は、周知のように流下する玉を１個ずつ受け入れる凹部がその外周に複数形成される計数歯車２６を内蔵し、該計数歯車２６が１回転したときに図示しないセンサーが作動して計数信号を導出するものである。玉計数機２５の末端には、蛇腹パイプ２７の上端が接続され、該蛇腹パイプ２７の下端が移送駆動装置３０に接続されている。なお、分流シュート２１の流下通路２２には、流下する玉の流れをストップせしめるためのストッパー２４が設けられている。
【００１４】
移送駆動装置３０は、その一端に前記蛇腹パイプ２７の下端が接続され且つその他端に揚送パイプ３３が接続される半円形状の半円移送管３２の内部に玉と所定の摩擦力を有して当接するゴム製の円盤部材（図示しない）を設け、該円盤部材を単相インダクションモータ（モータ）３１で回転駆動するように構成されるものであり、蛇腹パイプ２７を流下してきた玉を円盤部材と玉の摩擦力とで揚送パイプ３３内を一列状に整列して揚送するものである。
【００１５】
アーチ型移送管３５は、図３に示すように、各島台間に掛け渡されるものであり、搬出パイプ３６と搬入パイプ３７とが対となって各島台１の端部に設けられる連結支持台３４に接続されるものである。即ち、搬出パイプ３６には、前記揚送パイプ３３が連結支持台３４において接続され、搬入パイプ３７は、連結支持台３４からそのまま島台１の内部の前記下部回収樋１２のやや上端まで延設されている。また、搬出パイプ３６及び搬入パイプ３７のほぼ中央には、それらのパイプ内の玉の移送が正常に行われているか、あるいは異常となっているかを報知する移送正常表示器３８と移送異常表示器３９とが設けられている。なお、ある島台１によって搬出パイプ３６であるものは、他の島台から見た場合には、搬入パイプ３７として機能するものである。
【００１６】
以上の構成において玉移送機構２０は、補給樋１０を流下する玉を分流シュート２１の流下通路２２に分流して玉計数機２５を介して移送駆動装置３０に供給し、この供給した玉と所定の摩擦力を有して当接する円盤部材をモータ３１の駆動力で回転させることで、揚送パイプ３３及び搬出パイプ３６を介して自島から隣接する他島に玉を強制搬送するようになっている。なお、移送駆動装置３０による玉の移送が正常に行われているか否かは、玉計数機２５からの計数パルスが導出されているか否かによって判定することができる。
【００１７】
また、パチンコ島台１は、通常、遊技場のスペースを有効に活用するため、表面側と裏面側とにパチンコ機２を列設しており、これに伴ってパチンコ島台１の表面側及び裏面側にそれぞれ専用の補給樋１０を配設している。従って、このような構成のパチンコ島台１においては、前記玉移送機構２０を表面側及び裏面側の各補給樋１０に個々に設けた構成としても良いし、何れか一方に設けた構成としても良い。また、一本の巾広の補給樋の左右両側部に分流シュート２１を設けて、表面側と裏面側とのパチンコ機２に玉を補給する場合もあるが、この場合にも、前記玉移送機構２０を左右両側部に設けても良いし、何れか一方に設けても良い。
【００１８】
玉量検出センサー１５〜１９は、前記玉揚送装置４側の玉貯留タンク１４内で上下方向に列設され、それぞれ配設された高さ位置に応じた玉貯留タンク１４内での貯留玉量を検出する複数のセンサー１５〜１９から構成されている。各センサー１５〜１９のうち上端に配設されたセンサー１５は、玉貯留タンク１４内における上限量の玉を検出する上限玉量検出センサー１５をなす一方、各センサー１５〜１９のうち下端に配設されたセンサー１９は、玉貯留タンク１４内における下限量の玉を検出する下限玉量検出センサー１９をなしている。なお、本実施例においては、各玉量検出センサー１５〜１９の設置高さを、貯留される玉量がほぼ２万個ずつ単位で検出できる位置間隔を開けて設けられていると共に、後述する制御装置４０に設けられる複数の玉量表示器４５がそれぞれ玉量検出センサー１５〜１９に対応している。
【００１９】
また、上記した玉量検出センサー１５〜１９の検出信号に基づいて前記玉移送機構２０を自動制御したり、あるいは必要に応じて玉移送機構２０を手動制御することができる制御装置４０は、図４に示すように構成される。即ち、図４は、制御装置４０の正面から見た斜視図であり、その前面には、各パチンコ島台１毎に対応する島台対応パネル４１が複数個設けられており、各島台対応パネル４１には、玉移送機構２０に駆動信号を導出することができる玉量調整出力手段としての玉量調整スイッチ４２と、玉の移送が正常に行われていないことを表示する移送異常表示手段としての移送異常表示器４３と、玉の移送が正常に行われていることを表示する移送正常表示器４４と、パチンコ島台１の玉貯留タンク１４に貯留されている玉量を表示する玉量表示手段としての玉量表示器４５と、が設けられ、また、制御装置４０の前面上部には、前記玉量調整スイッチ４２を操作して玉移送機構２０を駆動する場合に、その駆動時間を設定するタイマー手段としてのタイマスイッチ４６，４７と、該タイマスイッチ４６，４７で設定した時間を表示するタイマ設定表示器４８と、が設けられている。上記した構成のうち、玉量調整スイッチ４２，移送異常表示器４３，移送正常表示器４４は、１つのパチンコ島台１に設けられる玉移送機構２０の数に対応する数（即ち、２つ）設けられている。また、図示の実施例においては、タイマスイッチ４６を操作すると、１０分のタイマ時間が設定され、タイマスイッチ４７を操作すると、４０分のタイマ時間が設定される。そして、本実施例では、４０分タイマが設定されたときには、移送駆動装置３０による玉の移送個数が玉量表示器４５の１個分に相当する約２万個となるように設定される。なお、タイマスイッチをダイヤル式のものとして任意の時間だけ設定できる方式のものとしても良い。
【００２０】
次に、上記した玉移送機構２０、玉量検出センサー１５〜１９、及び制御装置４０による各島台間の貯留玉量の移送動作を、図５乃至図７のフローチャートを参照して説明する。図５は、移送動作の開始・終了を手動によって行う場合の動作を示し、図６は、移送動作の開始を手動によって行い、終了をタイマによって行う場合の動作を示し、図７は、移送動作を自動的に行う場合の動作を示すものである。そこで、まず、営業中等における自動移送動作について図７を参照して説明する。
【００２１】
図７において、ステップ３０で自島の下限玉量検出センサー１９がＯＮしているか否か、即ち自島内の貯留玉量が不足して下限量を下回っているか否かを判別する。ステップ３０で下限玉量検出センサー１９がＯＮ状態であると判別すると、ステップ３１で制御装置４０の制御によって左島台１の右側の移送駆動装置３０（補給装置と表示）と右島台の左側の移送駆動装置３０とを同時に駆動開始して左右の島台１から自島内に玉を移送する。この場合の移送終了は、予め設定された時間だけ移送駆動装置３０を駆動させても良いし、あるいは、任意の玉量検出センサー１６〜１８のうちのいずれかがＯＦＦするまで移送駆動装置３０を駆動させても良い。また、移送動作途中において、玉を供給する側の島台（左右島）の貯留玉量が所定量以下となったときには、他島の移送駆動装置３０の駆動を停止するように制御することが望ましい。
【００２２】
一方、上記ステップ３０で下限玉量検出センサー１９がＯＦＦ状態であると判別されると、次に、ステップ３２で自島の上限玉量検出センサー１５がＯＮしているか否か、即ち自島内の貯留玉量が満了して上限量を上回っているか否かを判別する。ステップ３１で上限玉量検出センサー１５がＯＦＦ状態であると判別すると、自島の貯留玉量が循環使用するのに適当な量であると判断して、移送操作が行われることはない。また、ステップ３２で上限玉量検出センサー１５がＯＮ状態であると判別されると、ステップ３３で自島の右側及び左側の２つの移送駆動装置３０を始動開始する。この場合の移送終了も、予め設定された時間だけ自島の移送駆動装置３０を駆動させても良いし、あるいは、自島の任意の玉量検出センサー１６〜１８のうちのいずれかがＯＦＦするまで移送駆動装置３０を駆動させても良い。また、移送動作途中において、玉を供給される側の島台（左右島）の貯留玉量が所定量以上となったときには、自島の移送駆動装置３０の駆動を停止するように制御することが望ましい。
【００２３】
上記したように、通常の営業中においては、制御装置４０の制御動作によって複数のパチンコ島台１における貯留玉量が過不足なく自動的に制御されているが、緊急時や営業終了時においては、制御装置４０の玉量調整スイッチ４２を操作することにより、強制的に玉の移送動作を行うことができる。これについて説明すると、図５において、ステップ１０で移送開始をしたい玉移送機構２０に対応する玉量調整スイッチ４２をＯＮせしめると、ステップ１１で対応する移送駆動装置３０のモータ３１が駆動を開始する。その後、ステップ１２で検知センサーがＯＮしているか否かが判別される。ここで検知センサーは、例えば、前記玉計数機２５に設けられたパルス発振器からの出力信号であり、この出力信号があるか否かがステップ１２で判別される。なお、検知センサーとして、他の検出手段、例えば、搬出パイプ３６又は搬入パイプ３７に設けられて玉の移動を検知するもの（例えば、図３の符号５０で示す検知センサー）でも良い。しかして、検知センサーがＯＮしていないと判別されたときには、モータ３１が駆動されているにも拘らず玉の移送動作が行われていないということであるから、ステップ１３で対応するアーチ型移送管３５に設けられる移送異常表示器３９及び制御装置４０に設けられる移送異常表示器４３を点滅（これらは良く目立つように赤色ランプが使用されている）し、その後、ステップ１４でモータ３１を自動停止せしめ、ステップ１５で玉詰まり解除作業を行って最初のステップ１０に戻る。
【００２４】
一方、前記ステップ１２で検知センサーがＯＮしていると判別されたときには、ステップ１６で玉の移送動作が正常に行われているということを示すために、アーチ型移送管３５に設けられる移送正常表示器３８及び制御装置４０に設けられる移送正常表示器４４を点灯（これらは青色ランプが使用されている）し、その後、ステップ１７で制御装置４０に設けられる玉量表示器４５の所望の表示器が点灯したか否かを監視し、所望の表示器が点灯していなければ、前記ステップ１２に戻り、所望の表示器が点灯したときには、ステップ１８で玉量調整スイッチ４２をＯＦＦとして、ステップ１９でモータ３１の駆動を停止する。
【００２５】
このように、図５に示す実施例では、玉量調整スイッチ４２のＯＮ・ＯＦＦ操作によって所望の移送駆動装置３０を所望の期間だけ強制的に駆動させることができるので、緊急時や営業終了時における各パチンコ島台１間の玉の均等化処理を容易に達成することができる。また、玉の移送が正常に行われているか否かがアーチ型移送管３５に設けられる表示器３８，３９や制御装置４０に設けられる表示器４３，４４に表示されるので、遊技場のどこにいても容易に把握することができ、その後の処置を迅速に行うことができる。
【００２６】
図５に示す実施例では、移送終了も玉量調整スイッチ４２をＯＦＦすることにより行うものを示したが、移送駆動装置３０のモータ３１の駆動速度が一定であれば、所定時間だけモータ３１を駆動することにより所望数の玉を移送することが可能である。このため、制御装置４０に設けられるタイマスイッチ４６，４７を操作して移送終了を自動的に行うことも本実施例では、実行できるようにした。そして、そのような実施例を図６に示す。しかして、図６において、ステップ２０でいずれかのタイマスイッチ４６又は４７を操作して時間を設定し、その後、ステップ２１で移送開始をしたい玉移送機構２０に対応する玉量調整スイッチ４２をＯＮせしめると、ステップ２２で対応する移送駆動装置３０のモータ３１が駆動を開始する。その後、ステップ２３で検知センサーがＯＮしているか否かが判別される。検知センサーがＯＮしていないと判別されたときには、モータ３１が駆動されているにも拘らず玉の移送動作が行われていないということであるから、ステップ２４で対応するアーチ型移送管３５に設けられる移送異常表示器３９及び制御装置４０に設けられる移送異常表示器４３を点滅し、その後、ステップ２５でモータ３１を自動停止せしめ、ステップ２６で玉詰まり解除作業を行ってステップ２１に戻る。なお、ステップ２４で移送異常表示器３９，４３が点滅したときには、設定したタイマの計時動作も停止するように制御することが望ましい。
【００２７】
一方、前記ステップ２３で検知センサーがＯＮしていると判別されたときには、ステップ２７で玉の移送動作が正常に行われているということを示すために、アーチ型移送管３５に設けられる移送正常表示器３８及び制御装置４０に設けられる移送正常表示器４４を点灯し、その後、ステップ２８でセットした時間が経過したか否かが判別され、経過していなければ、前記ステップ２３に戻り、設定時間が経過したときには、ステップ２９でモータ３１の駆動を停止する。
【００２８】
このように、図６に示す実施例では、タイマスイッチ４６，４７で移送時間を設定した後に玉量調整スイッチ４２をＯＮ操作することによって所望の移送駆動装置３０を設定した期間だけ強制的に駆動させることができるので、緊急時や営業終了時における各パチンコ島台１間の玉の均等化処理を容易に達成することができる。また、玉の移送が正常に行われているか否かがアーチ型移送管３５に設けられる表示器３８，３９や制御装置４０に設けられる表示器４３，４４に表示されるので、遊技場のどこにいても容易に把握することができ、その後の処置を迅速に行うことができる。
【００２９】
なお、上記した実施例では、玉移送機構２０として、玉を一列にして他島に移送するものを示したが、複数列にして玉を移送するものでも良い。この場合には、例えば、分流シュート２１による玉の取込を複数列とし、各列に対応して移送駆動装置３０及びアーチ型移送管３５を設ければ良い。
【００３０】
【発明の効果】
以上、説明したところから明らかなように、請求項１の発明においては、緊急時や営業終了時においては、玉移送制御装置に設けられる玉量表示手段を監視しながら、任意の玉量調整出力手段を操作することにより、対応する移送駆動装置を駆動制御することができるので、緊急時における玉の移送及び営業終了時における玉の移送を極めて簡単に行うことができる。また、従来のように上部貯留タンクの位置に関係なく、任意の位置でパチンコ島台間に移送通路を掛け渡すことができ、防犯カメラの設置等を含む遊技場全体としての設計自由度が広がる。更に、自島から隣接する他島に強制的に玉を搬送することができるため、従来のように自然落下により余剰玉を搬送する構成に比べ、パチンコ島台内で循環使用される玉量を効率的に管理することができる。
また、請求項２の発明においては、通常の営業時間内において、パチンコ島台内の玉貯留タンクの玉の貯留量が上限であるときに自島内の移送駆動装置を制御して隣接する他島に玉を供給し、貯留量が下限であるときに隣接する他島内の移送駆動装置を制御して自島に玉を補給する動作がパチンコ島台に対して遠隔的に配置される玉移送制御装置によって自動制御されているため、パチンコ島台における貯留玉量が過不足なく自動的に制御することができる。
更に、請求項３の発明においては、パチンコ島台に対して遠隔的に配置される玉移送制御装置の移送異常表示手段を監視することにより、パチンコ島台間の玉の移送が正常に行われているか否かを容易に理解することができ、迅速な処置を行うことができる。
【図面の簡単な説明】
【図１】  実施例におけるパチンコ島台の内部の構造を示す一部破断正面図である。
【図２】  上記パチンコ島台の玉移送機構を示す正面図である。
【図３】  ３列のパチンコ島台間の貯留玉量の移動動作の概略を示す説明図である。
【図４】  制御装置の斜視図である。
【図５】  移送動作の開始・終了を手動によって行う場合の動作を示すフローチャートである。
【図６】  移送動作の開始を手動によって行い、終了をタイマによって行う場合の動作を示すフローチャートである。
【図７】  移送動作を自動的に行う場合の動作を示すフローチャートである。
【符号の説明】
１  パチンコ島台
２  パチンコ機
３  玉返却装置
４  玉揚送装置（玉揚送手段）
１０  補給樋
１４  玉貯留タンク
１５〜１９  玉量検出センサー（貯留量検出手段）
２０  玉移送機構
２１  分流シュート（玉分離器）
２２  流下通路
２５  玉計数機
３０  移送駆動装置
３１  モータ
３２  半円移送管
３５  アーチ型移送管（移送通路）
３６  搬出パイプ
３７  搬入パイプ
３８  移送正常表示器
３９  移送異常表示器
４０  制御装置
４１  島台対応パネル
４２  玉量調整スイッチ（玉量調整出力手段）
４３  移送異常表示器（移送異常表示手段）
４４  移送正常表示器
４５  玉量表示器（玉量表示手段）
４６，４７  タイマスイッチ（タイマ手段）
４８  タイマ設定表示器
５０  検知センサー
【図１】
0003702478.tif 000002
【図２】
0003702478.tif 000003
【図３】
0003702478.tif 000004
【図４】
0003702478.tif 000005
【図５】
0003702478.tif 000006
【図６】
0003702478.tif 000007
【図７】
0003702478.tif 000008